(57)【特許請求の範囲】
【請求項１】
ＡＭ受信機におけるＡＭ隣接妨害除去回路であって、隣接妨害となる妨害ＡＭ変調波の搬送波周波数をｆｃ、周波数ｆｐ１＞周波数ｆｐ２、かつｆｐ１−ｆｃ＝ｆｃ−ｆｐ２としたとき、周波数ｆｐ１の発振を行う第１の局部発振器と、周波数ｆｐ２の発振を行う第２の局部発振器と、受信を希望するＡＭステレオ変調波と第１の局部発振器からの発振出力とを乗算する第１の乗算器と、受信を希望するＡＭステレオ変調波と第２の局部発振器からの発振出力とを乗算する第２の乗算器と、第１の乗算器の出力中の高域周波数成分を除去する第１のローパスフィルタと、第２の乗算器の出力中の高域周波数成分を除去する第２のローパスフィルタと、第１のローパスフィルタの出力から第２のローパスフィルタの出力を減算する減算器と、減算器の出力を入力とするカットオフ周波数がｆｃ／２のローパスフィルタとを備えたことを特徴とするＡＭ隣接妨害除去回路。
【請求項２】
ＡＭ受信機におけるＡＭ隣接妨害除去回路であって、隣接妨害となる妨害ＡＭ変調波の搬送波周波数を、受信を希望するＡＭステレオ変調波のＡＭ搬送波周波数を挾んで周波数ｆαづつ離れた周波数ｆｃおよび（ｆｃ＋２ｆα）、周波数ｆｐ１＞周波数ｆｐ２、かつｆｐ１−ｆｃ＝ｆｃ−ｆｐ２としたとき、周波数（ｆｐ１＋ｆα）の発振を行う第１の局部発振器と、周波数（ｆｐ２−ｆα）の発振を行う第２の局部発振器と、周波数（ｆｐ２＋３ｆα）の発振を行う第３の局部発振器と、受信を希望するＡＭステレオ変調波と第１の局部発振器からの発振出力とを乗算する第１の乗算器と、受信を希望するＡＭステレオ変調波と第２の局部発振器からの発振出力とを乗算する第２の乗算器と、受信を希望するＡＭステレオ変調波と第３の局部発振器からの発振出力とを乗算する第３の乗算器と、第１の乗算器の出力中の高域周波数成分を除去する第１のローパスフィルタと、第２の乗算器の出力中の高域周波数成分を除去する第２のローパスフィルタと、第３の乗算器の出力中の高域周波数成分を除去する第３のローパスフィルタと、第１のローパスフィルタの出力から第２および第３のローパスフィルタの出力を減算する減算器と、減算器の出力を入力とする通過帯域周波数が（ｆｃ／２−ｆα）〜（ｆｃ／２＋ｆα）のバンドパスフィルタとを備えたことを特徴とするＡＭ隣接妨害除去回路。
【発明の詳細な説明】
【０００１】
【発明の属する技術分野】
本発明はＡＭ放送受信において希望するチャネルの隣接するチャネルに別のＡＭ変調波があるとき、それを除去して希望するＡＭ変調波のみを選択するＡＭ隣接妨害除去回路に関する。
【０００２】
【従来の技術】
ＡＭ放送において例えば日本ではチャンネル間隔は９ｋＨｚに定められて、ＡＭ変調したときのサイドバンドは７．５ｋＨｚまでは認められている。しかし、例えば特に深夜になると、遠隔地や海外からくるＡＭ変調波が、希望するチャネルの隣接チャンネルに重なることがある。このような場合、従来は重なったまま復調して混信状態のまま聴くか、またはＳＳＢ方式で復調していた。
【０００３】
【発明が解決しようとする課題】
しかしながら、混信状態のまま聴くときは聴きとりにくいという問題点があり、ＳＳＢ方式で復調して聴く場合は、希望するチャネルがＡＭステレオ放送の場合には、原理上ステレオ状態で聴くことはできないという問題点があった。
【０００４】
本発明は、妨害ＡＭ変調波の一部が重なっているときでもそれを除去して、希望するＡＭ変調波のみを取り出すことができるＡＭ隣接妨害除去回路を提供することを目的とする。
【０００５】
【課題を解決するための手段】
本発明の請求項１記載のＡＭ隣接妨害除去回路は、ＡＭ受信機におけるＡＭ隣接妨害除去回路であって、隣接妨害となる妨害ＡＭ変調波の搬送波周波数をｆｃ、周波数ｆｐ１＞周波数ｆｐ２、かつｆｐ１−ｆｃ＝ｆｃ−ｆｐ２としたとき、周波数ｆｐ１の発振を行う第１の局部発振器と、周波数ｆｐ２の発振を行う第２の局部発振器と、受信を希望するＡＭステレオ変調波と第１の局部発振器からの発振出力とを乗算する第１の乗算器と、受信を希望するＡＭステレオ変調波と第２の局部発振器からの発振出力とを乗算する第２の乗算器と、第１の乗算器の出力中の高域周波数成分を除去する第１のローパスフィルタと、第２の乗算器の出力中の高域周波数成分を除去する第２のローパスフィルタと、第１のローパスフィルタの出力から第２のローパスフィルタの出力を減算する減算器と、減算器の出力を入力とするカットオフ周波数がｆｃ／２のローパスフィルタとを備えたことを特徴とする。
【０００６】
本発明の請求項１記載のＡＭ隣接妨害除去回路では、第１および第２の乗算器によって、妨害波と共に受信を希望するＡＭステレオ変調波は周波数変換され、その低域周波数成分が第１および第２のローパスフィルタから出力される。受信を希望するＡＭステレオ変調波のＡＭ搬送波周波数と妨害ＡＭ変調波の搬送波周波数との差の周波数を例えばｆαとしたとき、第１のローパスフィルタからの出力は周波数ｆｃ／２の位置に隣接妨害波の搬送波周波数が位置し、かつ周波数（ｆｃ／２−ｆα）の位置に受信を希望するＡＭステレオ変調波の搬送波周波数が位置し、第２のローパスフィルタの出力は周波数ｆｃ／２に位置に隣接妨害波の搬送波周波数が位置し、かつ周波数（ｆｃ／２＋ｆα）の位置に受信を希望するＡＭステレオ変調波の搬送波周波数が位置し、減算器によって隣接妨害波が打ち消され、第３のローパスフィルタによって受信を希望するＡＭステレオ変調波のみが取り出され、隣接妨害波が除去されることになる。
【０００７】
本発明の請求項２記載のＡＭ隣接妨害除去回路は、ＡＭ受信機におけるＡＭ隣接妨害除去回路であって、隣接妨害となる妨害ＡＭ変調波の搬送波周波数を、受信を希望するＡＭステレオ変調波のＡＭ搬送波周波数を挾んで周波数ｆαづつ離れた周波数ｆｃおよび（ｆｃ＋２ｆα）、周波数ｆｐ１＞周波数ｆｐ２、かつｆｐ１−ｆｃ＝ｆｃ−ｆｐ２としたとき、周波数（ｆｐ１＋ｆα）の発振を行う第１の局部発振器と、周波数（ｆｐ２−ｆα）の発振を行う第２の局部発振器と、周波数（ｆｐ２＋３ｆα）の発振を行う第３の局部発振器と、受信を希望するＡＭステレオ変調波と第１の局部発振器からの発振出力とを乗算する第１の乗算器と、受信を希望するＡＭステレオ変調波と第２の局部発振器からの発振出力とを乗算する第２の乗算器と、受信を希望するＡＭステレオ変調波と第３の局部発振器からの発振出力とを乗算する第３の乗算器と、第１の乗算器の出力中の高域周波数成分を除去する第１のローパスフィルタと、第２の乗算器の出力中の高域周波数成分を除去する第２のローパスフィルタと、第３の乗算器の出力中の高域周波数成分を除去する第３のローパスフィルタと、第１のローパスフィルタの出力から第２および第３のローパスフィルタの出力を減算する減算器と、減算器の出力を入力とする通過帯域周波数が（ｆｃ／２−ｆα）〜（ｆｃ／２＋ｆα）のバンドパスフィルタとを備えたことを特徴とする。
【０００８】
本発明の請求項２記載のＡＭ隣接妨害除去回路では、第１、第２および第３の乗算器によって、妨害波と共に受信を希望するＡＭステレオ変調波は周波数変換され、その低域周波数成分が第１、第２および第３のローパスフィルタから出力される。受信を希望するＡＭステレオ変調波のＡＭ搬送波周波数と妨害ＡＭ変調波の搬送波周波数との差の周波数はｆαである。第１のローパスフィルタからの出力は周波数ｆｃ／２の位置に受信を希望するＡＭステレオ変調波のＡＭ搬送波周波数が位置し、そこから上下に周波数ｆα離れた周波数位置に隣接妨害波の搬送波周波数が位置する。第２のローパスフィルタからの出力は周波数（ｆｃ／２−２ｆα）離れた周波数位置に受信を希望するＡＭステレオ変調波のＡＭ搬送波周波数が位置し、そこから上下に周波数ｆα離れた周波数位置に隣接妨害波の搬送波周波数が位置する。第３のローパスフィルタからの出力は周波数（ｆｃ／２＋２ｆα）離れた周波数位置に受信を希望するＡＭステレオ変調波のＡＭ搬送波周波数が位置し、そこから上下に周波数ｆα離れた周波数位置に隣接妨害波の搬送波周波数が位置する。そこで、減算器によって第１のローパスフィルタから出力される隣接妨害波が打ち消され、バンドパスフィルタによって第１のローパスフィルタによって受信を希望するＡＭステレオ変調波のみが取り出され、隣接妨害波が除去されることになる。
【０００９】
【発明の実施の形態】
以下、本発明にかかるＡＭ隣接妨害除去回路を実施の形態によって説明する。
【００１０】
図１は、本発明の実施の一形態にかかるＡＭ隣接妨害除去回路の構成を示すブロック図である。
【００１１】
ＡＭ受信機に入力されたＡＭステレオ変調波は、発振周波数が（３／２）ωｃｔの局部発振器１からの出力と共に乗算器３へ入力し、局部発振器１からの出力と乗算する。また、入力されたＡＭステレオ変調波は、発振周波数が（１／２）ωｃｔの局部発振器２からの出力と共に乗算器４へ入力し、局部発振器２からの出力と乗算する。乗算器３の出力はローパスフィルタ５に供給して、ローパスフィルタ５にて乗算器３からの出力中の高域周波数成分を除去する。乗算器４の出力はローパスフィルタ６に供給して、ローパスフィルタ６にて乗算器４からの出力中の高域周波数成分を除去する。
【００１２】
ローパスフィルタ５からの出力とローパスフィルタ６からの出力とは減算器７に供給し、減算器７においてローパスフィルタ５の出力からローパスフィルタ６の出力を減算し、減算器７から出力はカットオフ周波数がｆｃ／２（＝ωｃ／４π）に設定されたローパスフィルタ８に供給して、ローパスフィルタ８にて減算器７の出力中の高域周波数成分を除去して送出する。
【００１３】
上記のように構成された本発明の実施の一形態にかかるＡＭ隣接妨害除去回路の作用について説明する。
【００１４】
隣接妨害波が混合された受信希望ＡＭステレオ変調波は、後記の式（１）にて表わされる。
【００１５】
0003576795.tif 000002
ここで、Ｍ０＝１＋κ０・νｍ０（ｔ）、
Ｍ１＝１＋κ１・νｍ１（ｔ）
θ＝ａｒｃ  ｔａｎ［κ０・νｓ０（ｔ）／｛１＋κ０・νｍ０（ｔ）｝
【００１６】
式（１）において、第１項が受信を希望するＡＭステレオ変調波であり、第２項が隣接妨害波であり、添字０は受信を希望するステレオ変調波に対して付し、添字１は妨害ＡＭ変調波に対して付して区別している。κ０は受信を希望するＡＭステレオ変調波のＡＭ変調度、κ１は隣接妨害波のＡＭ変調度、νｍ０（ｔ）は受信を希望するＡＭステレオ変調波のモノラル変調波、νｍ１（ｔ）は隣接妨害波の変調波、νｓ０（ｔ）はＡＭ変調のステレオ変調波、ωｃは隣接妨害となるＡＭ変調搬送波の角周波数（ｒａｄ／ｓ）、ωαは隣接妨害波と受信を希望するＡＭ変調搬送波との差の角周波数（ｒａｄ／ｓ）である。
【００１７】
隣接妨害波が混合された式（１）で示される受信希望ＡＭステレオ変調波は、模式的に示せば図２（ａ）に示すごとくである。図２において（イ）は受信希望ステレオ変調波、（ロ）は隣接妨害波を示している。
【００１８】
隣接妨害波が混合された受信希望ＡＭステレオ変調波は局部発振器１からの出力ｃｏｓ（３／２）ωｃ  ｔと乗算器３にて乗算されて、ローパスフィルタ５で高周波成分は除去される。ここで、ローパスフィルタ６の入力はν（ｔ）・ｃｏｓ（３／２）ωｃ  ｔにて示すごとくであって、下記の式（２）に示す出力がローパスフィルタ５から出力される。
【００１９】
0003576795.tif 000003
【００２０】
一方、隣接妨害波が混合された受信希望ＡＭステレオ変調波は局部発振器２からの出力ｃｏｓ（１／２）ωｃ  ｔと乗算器４にて乗算されて、ローパスフィルタ６で高周波成分は除去される。ここで、ローパスフィルタ６の入力はν（ｔ）・ｃｏｓ（１／２）ωｃ  ｔにて示す如くであって、下記の式（３）に示す出力がローパスフィルタ６から出力される。
【００２１】
ローパスフィルタ６からの出力＝（１＋Ｍ０）ｃｏｓ｛（ωｃ／２＋ωα）ｔ＋θ｝＋（１＋Ｍ１）ｃｏｓ（１／２）ωｃ  ｔ        …式（３）
【００２２】
上記の式（２）に示すローパスフィルタ５からの出力は図２（ｂ）に模式的に示すごとく表せ、上記の式（３）に示すローパスフィルタ６からの出力は図２（ｃ）に模式的に示すごとく表せる。上記の式（２）に示すローパスフィルタ５の出力から上記の式（３）に示すローパスフィルタ６の出力が減算器７にて減算される。減算器７の入力はν（ｔ）・ｃｏｓ（３／２）ωｃ  ｔ−ν（ｔ）・ｃｏｓ（１／２）ωｃ  ｔから高周波成分が除去された信号であって、減算器７からの出力は下記の式（４）に示すごとくになる。
【００２３】
減算器７からの出力
＝（１＋Ｍ０）ｃｏｓ｛（ωｃ／２−ωα）ｔ−θ｝−（１＋Ｍ０）ｃｏｓ｛（ωｃ／２＋ωα）ｔ＋θ｝      …式（４）
【００２４】
減算器７にからの出力は図２（ｄ）に模式的に示すごとくである。上記の式（４）に示す減算器７の出力がローパスフィルタ８によって、式（４）の第２項（図２（ｄ）において斜線を付して示してある）が除去されて、下記の式（５）に示す出力がローパスフィルタ８から出力される。
【００２５】
（１＋Ｍ０）ｃｏｓ｛（ωｃ／２−ωα）ｔ−θ｝      …式（５）
【００２６】
ローパスフィルタ８からの出力は式（５）からも明らかなようにＡＭステレオ変調波であり、図２（ｅ）に示すごとくであって、本発明の実施の一形態にかかるＡＭ隣接妨害除去回路によって隣接妨害波が除去されて、ＡＭステレオ変調波が送出されることが判る。
【００２７】
なお、上記した本発明の実施の一形態にかかるＡＭ隣接妨害除去回路において、局部発振器１の発振角周波数を（３／２）ωｃ、局部発振器２の発振角周波数を（１／２）ωｃとして説明したが、これは他の角周波数でもよく、発振角周波数を（３／２）ωｃを（ωｐｆ１）とし、角周波数を（１／２）ωｃを（ωｐｆ２）としたとき、（ωｐｆ１）＞（ωｐｆ２）とすると、（ωｐｆ１）−ωｃ＝ωｃ−（ωｐｆ２）が成立する関係に局部発振器１および２の発振角周波数に選択すればよい。
【００２８】
次に本発明の実施の一形態にかかるＡＭ隣接妨害除去回路の第１変形例について説明する。
【００２９】
図３は本発明の実施の一形態にかかるＡＭ隣接妨害除去回路の第１変形例の構成を示すブロック図である。
【００３０】
本発明の実施の一形態にかかるＡＭ隣接妨害除去回路の第１変形例は受信を希望するＡＭステレオ変調波より周波数ωαだけ高い周波数位置および受信を希望するＡＭステレオ変調波より周波数ωαだけ低い周波数位置に妨害波がある図４（ａ）の場合にこの２つの妨害波を除去する場合の例である。
【００３１】
本発明の実施の一形態にかかるＡＭ隣接妨害除去回路の第１変形例において、隣接妨害波が混合された受信希望ＡＭステレオ変調波は、後記の式（６）にて表わされる。
【００３２】
ν（ｔ）＝（１＋Ｍ１）ｃｏｓωｃｔ＋（１＋Ｍ０）ｃｏｓ｛（ωｃ＋ωα）ｔ＋θ）｝＋（１＋Ｍ２）ｃｏｓ（ωｃ＋２ωα）ｔ              …式（６）
ここで、Ｍ０＝１＋κ０・νｍ０（ｔ）、
Ｍ１＝１＋κ１・νｍ１（ｔ）、
Ｍ２＝１＋κ２・νｍ２（ｔ）、
θ＝ａｒｃ  ｔａｎ［κ０・νｓ０（ｔ）／｛１＋κ０・νｍ０（ｔ）｝
【００３３】
式（６）において、第１項が周波数が低い方の隣接妨害波であり、第２項が受信を希望するＡＭステレオ変調波であり、第３項が周波数が高い方の隣接妨害波であり、添字０は受信を希望するＡＭステレオ変調波に対して付し、添字１および添字２はそれぞれの妨害ＡＭ変調波に対して付して区別している。κ０は受信を希望するＡＭステレオ変調波のＡＭ変調度、κ１およびκ２は隣接妨害波のＡＭ変調度、νｍ０（ｔ）は受信を希望するＡＭステレオ変調波のモノラル変調波、νｍ１（ｔ）およびνｍ２（ｔ）は隣接妨害波の変調波、νｓ０（ｔ）はＡＭ変調のステレオ変調波、（ωｃ＋ωα）は受信を希望するＡＭ変調搬送波の角周波数（ｒａｄ／ｓ）、（ωｃ）および（ωｃ＋２ωα）は隣接妨害となるＡＭ変調搬送波の角周波数（ｒａｄ／ｓ）、ωαは隣接妨害波と受信を希望するＡＭ変調搬送波との差の角周波数（ｒａｄ／ｓ）である。
【００３４】
隣接妨害波が混合された式（６）に示される受信希望ＡＭステレオ変調波は、模式的に示せば図４（ａ）に示すごとくである。図４において（イ）は受信希望ステレオ変調波、（ロ）は隣接妨害波であって粗い網目を付して示し、（ハ）は隣接妨害波であって細かい網目を付して示している。
【００３５】
式（６）にて示される隣接妨害波が混合された受信希望ＡＭステレオ変調波に局部発振器１１からの出力ｃｏｓ｛（３／２）ωｃ＋ωα｝ｔを乗算器１４にて乗算し、乗算出力をローパスフィルタ１７に供給してその高域側を除去する。ローパスフィルタ１７の入力はν（ｔ）・ｃｏｓ｛（３／２）ωｃ＋ωα｝ｔであって、ローパスフィルタ１７の出力は下記の式（７）に示す如くである。
【００３６】
0003576795.tif 000004
【００３７】
式（６）にて示される隣接妨害波が混合された受信希望ＡＭステレオ変調波に局部発振器１２からの出力ｃｏｓ｛（１／２）ωｃ−ωα｝ｔを乗算器１５にて乗算し、乗算出力をローパスフィルタ１８に供給してその高域側を除去する。ローパスフィルタ１８の入力はν（ｔ）・ｃｏｓ｛（１／２）ωｃ−ωα｝ｔであって、ローパスフィルタ１８の出力は下記の式（８）に示す如くである。
【００３８】
ローパスフィルタ１８の出力
＝（１＋Ｍ１）ｃｏｓ｛（１／２）ωｃ＋ωα｝ｔ＋（１＋Ｍ０）ｃｏｓ［｛（１／２）ωｃ＋２ωα｝ｔ＋θ］＋（１＋Ｍ２）ｃｏｓ｛（１／２）ωｃ＋３ωα｝ｔ        …式（８）
【００３９】
式（６）にて示される隣接妨害波が混合された受信希望ＡＭステレオ変調波に局部発振器１３からの出力ｃｏｓ｛（１／２）ωｃ＋３ωα｝ｔを乗算器１６にて乗算し、乗算出力をローパスフィルタ１９に供給してその高域側を除去する。ローパスフィルタ１９の入力はν（ｔ）・ｃｏｓ｛（１／２）ωｃ＋３ωα｝ｔであって、ローパスフィルタ１９の出力は下記の式（９）に示す如くである。
【００４０】
ローパスフィルタ１９の出力
＝（１＋Ｍ１）ｃｏｓ｛（１／２）ωｃ−３ωα｝ｔ＋（１＋Ｍ０）ｃｏｓ［｛（１／２）ωｃ−２ωα｝ｔ＋θ］＋（１＋Ｍ２）ｃｏｓ｛（１／２）ωｃ−ωα｝ｔ          …式（９）
【００４１】
上記の式（７）に示すローパスフィルタ１７からの出力は図４（ｂ）に模式的に示すごとく表せ、上記の式（８）に示すローパスフィルタ１８からの出力は図４（ｃ）に模式的に示すごとく表せ、上記の式（９）に示すローパスフィルタ１９からの出力は図４（ｄ）に模式的に示すごとく表せる。上記式（７）に示すローパスフィルタ１７の出力から上記の式（８）および式（９）に示すローパスフィルタ１８および１９の出力を減算器２０にて減算する。この減算によって式（７）の第１項と式（８）の第１項とが打ち消され、式（７）の第３項と式（９）の第３項とが打ち消されて、減算の結果、下記の式（１０）に示す出力が得られる。
【００４２】
0003576795.tif 000005
の各項から高域周波数成分が除去された信号であって、
減算器２０からの出力
＝（１＋Ｍ０）ｃｏｓ｛（１／２）ωｃｔ−θ｝＋（１＋Ｍ０）ｃｏｓ［｛（１／２）ωｃ＋２ωα｝ｔ＋θ］＋（１＋Ｍ２）ｃｏｓ｛（１／２）ωｃ＋３ωα｝ｔ＋（１＋Ｍ１）ｃｏｓ｛（１／２）ωｃ−３ωα｝ｔ＋（１＋Ｍ０）ｃｏｓ［｛（１／２）ωｃ−２ωα｝ｔ＋θ］    …式（１０）
【００４３】
式（１０）にて示される減算出力は図４（ｅ）に模式的に示すごとくである。式（１０）に示す減算出力は、（１／２）ｆｃ−ｆα〜（１／２）ｆｃ＋ｆαの通過帯域幅を有するバンドパスフィルタ２１に供給して通過帯域以外の周波数成分を除去する。この結果、バンドパスフィルタの出力は下記の式（１１）に示すごとくになる。図４（ｅ）において斜線部はバンドパスフィルタの通過帯域外の部分を示している。
【００４４】
（１＋Ｍ０）ｃｏｓ｛（１／２）ωｃｔ−θ｝                  …式（１１）
【００４５】
式（１１）にて示されるバンドパスフィルタからの出力は図４（ｆ）に模式的に示すごとくであって、受信を希望するＡＭステレオ変調波のみが選択されることになる。
【００４６】
次に本発明の実施の一形態にかかるＡＭ隣接妨害除去回路の第２変形例について説明する。
【００４７】
本発明の実施の一形態にかかるＡＭ隣接妨害除去回路の第２変形例は受信を希望するＡＭステレオ変調波より周波数ωαだけ高い周波数位置および受信を希望するＡＭステレオ変調波より周波数２ωαだけ高い周波数位置に妨害波がある図５（ａ）の場合に、この２つの妨害波を除去する場合の例である。
【００４８】
本発明の実施の一形態にかかるＡＭ隣接妨害除去回路の第２変形例において、隣接妨害波が混合された受信希望ＡＭステレオ変調波は、後記の式（１２）にて表わされる。
【００４９】
ν（ｔ）＝（１＋Ｍ０）ｃｏｓ｛（ωｃ−２ωα）ｔ＋θ）｝＋（１＋Ｍ１）ｃｏｓ（ωｃ−ωα）ｔ＋（１＋Ｍ２）ｃｏｓωｃｔ                      …式（１２）
ここで、Ｍ０＝１＋κ０・νｍ０（ｔ）、
Ｍ１＝１＋κ１・νｍ１（ｔ）、
Ｍ２＝１＋κ２・νｍ２（ｔ）、
θ＝ａｒｃ  ｔａｎ［κ０・νｓ０（ｔ）／｛１＋κ０・νｍ０（ｔ）｝
【００５０】
式（１２）において、第１項が受信を希望するＡＭステレオ変調波であり、第２項が周波数が低い方の隣接妨害波であり、第３項が周波数が高い方の隣接妨害波であり、添字０は受信を希望するステレオ変調波に対して付し、添字１および添字２はそれぞれの妨害ＡＭ変調波に対して付して区別している。κ０は受信を希望するＡＭステレオ変調波のＡＭ変調度、κ１およびκ２は隣接妨害波のＡＭ変調度、νｍ０（ｔ）は受信を希望するＡＭステレオ変調波のモノラル変調波、νｍ１（ｔ）およびνｍ２（ｔ）は隣接妨害波の変調波、νｓ０（ｔ）はＡＭ変調のステレオ変調波、（ωｃ−２ωα）は受信を希望するＡＭ変調搬送波の角周波数（ｒａｄ／ｓ）、（ωｃ−ωα）および（ωｃ）は隣接妨害となるＡＭ変調搬送波の角周波数（ｒａｄ／ｓ）、ωα、２ωαは隣接妨害波と受信を希望するＡＭ変調搬送波との差の角周波数（ｒａｄ／ｓ）である。
【００５１】
隣接妨害波が混合された受信希望ＡＭステレオ変調波は、模式的に示せば図５（ａ）に示すごとくである。図５において（イ）は受信を希望するＡＭステレオ変調波を、（ロ）および（ハ）は妨害波を示し、一方の妨害波には網目を付して示している。
【００５２】
隣接妨害波が混合された式（１２）にて示される受信希望ＡＭステレオ変調波に局部発振器からの出力ｃｏｓ（３／２）ωｃｔを乗算し、乗算出力を第１のローパスフィルタに供給してその高域側を除去する。第１のローパスフィルタの入力はν（ｔ）・ｃｏｓ（３／２）ωｃｔであって、第１のローパスフィルタの出力は下記の式（１３）に示すごとくである。
【００５３】
0003576795.tif 000006
【００５４】
式（１２）にて示される隣接妨害波が混合された受信希望ＡＭステレオ変調波に局部発振器からの出力ｃｏｓ（１／２）ωｃｔを乗算し、乗算出力を第２のローパスフィルタに供給してその高域側を除去する。第２のローパスフィルタの入力はν（ｔ）・ｃｏｓ（１／２）ωｃｔであって、第２のローパスフィルタの出力は下記の式（１４）に示すごとくである。
【００５５】
第２のローパスフィルタの出力
＝（１＋Ｍ０）ｃｏｓ［｛（１／２）ωｃ−２ωα｝ｔ＋θ］＋（１＋Ｍ１）ｃｏｓ｛（１／２）ωｃ−ωα｝ｔ＋（１＋Ｍ２）ｃｏｓ（１／２）ωｃｔ              …式（１４）
【００５６】
上記の式（１３）に示す第１のローパスフィルタからの出力は図５（ｂ）に模式的に示すごとく表せ、上記の式（１４）に示す第２のローパスフィルタからの出力は図５（ｃ）に模式的に示すごとく表せる。上記の式（１３）に示す第１のローパスフィルタの出力から上記の式（１４）に示す第２のローパスフィルタの出力を第１の減算器にて減算する。この減算によって式（１３）の第３項と式（１４）の第３項とが打ち消されて、減算の結果、下記の式（１５）に示す出力が得られる。
【００５７】
第１の減算器の入力は
ν（ｔ）・ｃｏｓ（３／２）ωｃｔ−ν（ｔ）・ｃｏｓ（１／２）ωｃｔ
から高域周波数成分が除去された信号であって、
第１の減算器からの出力＝（１＋Ｍ０）ｃｏｓ｛（１／２）ωｃ＋２ωα｝ｔ−θ｝＋（１＋Ｍ１）ｃｏｓ｛（１／２）ωｃ＋ωα｝ｔ−（１＋Ｍ０）ｃｏｓ［｛（１／２）ωｃ−２ωα｝ｔ＋θ］−（１＋Ｍ１）ｃｏｓ｛（１／２）ωｃ−ωα｝ｔ      …式（１５）
【００５８】
式（１５）にて示される減算出力は図５（ｄ）に模式的に示すごとくである。式（１５）に示す減算出力は、（１／２）ｆｃをカットオフ周波数とする第３のローパスフィルタに供給して高域側を除去する。この結果、第３のローパスフィルタの出力は下記の式（１６）に示すごとくになる。図４（ｄ）において斜線部は第３のローパスフィルタによって遮断される高域周波数側を示している。
【００５９】
第３のローパスフィルタの出力＝−（１＋Ｍ０）ｃｏｓ［｛（１／２）ωｃ−２ωα｝ｔ＋θ］−（１＋Ｍ１）ｃｏｓ｛（１／２）ωｃ−ωα｝ｔ      …式（１６）
【００６０】
式（１６）にて示される第３のローパスフィルタからの出力は図５（ｅ）に模式的に示すごとくであって、一方の妨害波が除去された状態となる。この状態において残った妨害波と受信を希望するＡＭステレオ変調波とは、前記した本発明の実施の一形態にかかるＡＭ隣接妨害除去回路と同様の処理によって妨害波が除去されて、受信を希望するＡＭステレオ変調信号のみを選択することができる。
【００６１】
また、本発明の実施の一形態にかかるＡＭ隣接妨害除去回路、本発明の実施の一形態にかかるＡＭ隣接妨害除去回路の第１変形例および本発明の実施の一形態にかかるＡＭ隣接妨害除去回路の第２変形例を応用すれば、さらに多数の隣接妨害波が重なっているような状況でも、すべての妨害波を除去することができる。
【００６２】
【発明の効果】
以上説明したように本発明にかかるＡＭ隣接妨害除去回路によれば、従来では隣接妨害波がそのまま雑音として聞こえていたものが、変調波がＡＭステレオ変調波であっても、妨害波のないクリアな音声でＡＭステレオ変調波に基づく音声を聴くことができるという効果が得られる。
【図面の簡単な説明】
【図１】本発明の実施の一形態にかかるＡＭ隣接妨害除去回路の構成を示すブロック図である。
【図２】本発明の実施の一形態にかかるＡＭ隣接妨害除去回路の作用の説明に供する模式説明図である。
【図３】本発明の実施の一形態にかかるＡＭ隣接妨害除去回路の第１変形例の構成を示すブロック図である。
【図４】本発明の実施の一形態にかかるＡＭ隣接妨害除去回路の第１変形例の作用の説明に供する模式説明図である。
【図５】本発明の実施の一形態にかかるＡＭ隣接妨害除去回路の第２変形例の作用の説明に供する模式説明図である。
【符号の説明】
１、２、１１、１２および１３  局部発振器
３、４、１４、１５および１６  乗算器
５、６、８、１７、１８および１９  ローパスフィルタ
７および２０  減算器
２１  バンドパスフィルタ
【図１】
0003576795.tif 000007
【図２】
0003576795.tif 000008
【図３】
0003576795.tif 000009
【図４】
0003576795.tif 000010
【図５】
0003576795.tif 000011